(57)【要約】【課題】光の利用効率が良く、光源光量を増やすことなくマークを明るく表示させることができる表示装置を提供する。【解決手段】光源（第１光源４０、第２光源５０）と、光源からの光のうち、特定方向の偏光を通過させる光源側偏光板（第１光源側偏光板４５、第２光源側偏光板５５）と、光源側偏光板を通過した偏光が照射されることで情報を提示する表示用偏光板（第１表示用偏光板２０、第２表示用偏光板３０）と、光源の周囲の少なくとも一部分を囲う被覆部９０と、を備え、光源側偏光板は、反射型の偏光板であり、被覆部９０は、光源からの光を乱反射させるように表示装置１を構成する。【選択図】図１
2018194676.tif 000002
【特許請求の範囲】
【請求項１】
光源と、
前記光源からの光のうち、特定方向の偏光を通過させる光源側偏光板と、
前記光源側偏光板を通過した偏光が照射されることで情報を提示する表示用偏光板と、
前記光源の周囲の少なくとも一部分を囲う被覆部と、を備え、
前記光源側偏光板は、反射型の偏光板であり、
前記被覆部は、前記光源からの光を乱反射させる、表示装置。
【請求項２】
前記光源側偏光板は、ワイヤグリッドの一部に金属を形成したワイヤグリッド偏光板である、請求項１に記載の表示装置。
【請求項３】
前記被覆部は、前記光源の周囲を反射面で囲い、前記反射面には拡散反射の処理が施されている、請求項１又は２に記載の表示装置。
【請求項４】
前記表示用偏光板は、第１の偏光方向を前記特定方向とする第１の偏光が照射されることで情報を提示する第１表示用偏光板と、前記第１表示用偏光板と一部分が重複するように設けられ、前記第１の偏光方向とは異なる第２の偏光方向を前記特定方向とする第２の偏光が照射されることで情報を提示する第２表示用偏光板とで構成され、
前記光源側偏光板は、前記第１の偏光方向の偏光を通過させる第１光源側偏光板と、前記第２の偏光方向の偏光を通過させる第２光源側偏光板とで構成される、請求項１から３のいずれか１項に記載の表示装置。
【発明の詳細な説明】
【技術分野】
【０００１】
本発明は、表示装置に関する。
【背景技術】
【０００２】
従来の技術として、隔壁で仕切られたケースに配置され、２つの光源と、各光源からの光の互いに直交する特定方向の偏光をそれぞれ通過させる２つの光源偏光板と、各光源側偏光板を通過した光の各々の偏光方向を有する偏光板にて形成され、提示する情報としてマーク等の意匠を形成する表示用偏光板とを備え、２つの光源の発光を切り替えることで提示する情報を切り替える表示装置が知られている（例えば、特許文献１参照）。
【０００３】
この表示装置によれば、相異なるマーク等の意匠を表示切替えできるものであるため、表示面のスペースが少なくてすみ、従来の同一目的の表示切替灯に比較して簡単な構成で明瞭な表示が得られるとされている。
【先行技術文献】
【特許文献】
【０００４】
【特許文献１】実公昭６１−２５００２号公報
【発明の概要】
【発明が解決しようとする課題】
【０００５】
特許文献１の表示装置では、光源側偏光板を通過する特定方向に偏光した光が、それぞれの表示用偏光板の偏光方向と平行か直交するかにより透過するか、又は遮光されるかにより２種類のマーク等の意匠の表示を切り替える。しかし、表示用偏光板に到達する光は、光源からの光のうちの一部分であるため、光の利用効率が悪く表示マークの輝度が低いという問題があった。
【０００６】
したがって、本発明の目的は、光の利用効率が良く、光源光量を増やすことなくマークを明るく表示させることができる表示装置を提供することにある。
【課題を解決するための手段】
【０００７】
［１］上記目的を達成するため、光源と、前記光源からの光のうち、特定方向の偏光を通過させる光源側偏光板と、前記光源側偏光板を通過した偏光が照射されることで情報を提示する表示用偏光板と、前記光源の周囲の少なくとも一部分を囲う被覆部と、を備え、前記光源側偏光板は、反射型の偏光板であり、前記被覆部は、前記光源からの光を乱反射させる、表示装置を提供する。
【０００８】
［２］前記光源側偏光板は、ワイヤグリッドの一部に金属を形成したワイヤグリッド偏光板である、上記［１］に記載の表示装置であってもよい。
【０００９】
［３］また、前記被覆部は、前記光源の周囲を反射面で囲い、前記反射面には拡散反射の処理が施されている、上記［１］又は［２］に記載の表示装置であってもよい。
【００１０】
［４］また、前記表示用偏光板は、第１の偏光方向を前記特定方向とする第１の偏光が照射されることで情報を提示する第１表示用偏光板と、前記第１表示用偏光板と一部分が重複するように設けられ、前記第１の偏光方向とは異なる第２の偏光方向を前記特定方向とする第２の偏光が照射されることで情報を提示する第２表示用偏光板とで構成され、前記光源側偏光板は、前記第１の偏光方向の偏光を通過させる第１光源側偏光板と、前記第２の偏光方向の偏光を通過させる第２光源側偏光板とで構成される、上記［１］から［３］のいずれか１に記載の表示装置であってもよい。
【発明の効果】
【００１１】
本発明の表示装置によれば、光の利用効率が良く、光源光量を増やすことなくマークを明るく表示させることができる表示装置を提供することができる。
【図面の簡単な説明】
【００１２】
【図１】図１（ａ）は、本発明の実施の形態に係る表示装置の上平面図であり、図１（ｂ）は、図１（ａ）のＡ−Ａ断面を示す断面図である。
【図２】図２（ａ）は、第１表示用偏光板の上平面図、図２（ｂ）は、図２（ａ）の断面図、図２（ｃ）は、第２表示用偏光板の上平面図、図２（ｄ）は、図２（ｃ）の断面図である。
【図３】図３（ａ）は、図１（ｂ）で示すＢ部拡大図であり、図３（ｂ）は、第１光源側偏光板の斜視図である。
【図４】図４は、図１（ｂ）で示すＣ部拡大図である。
【図５】図５（ａ）は、第１光源を発光させた場合に第１表示マーク部が表示される状態を示す上平面図であり、図５（ｂ）は、第１光源から照射した光の経路を示す断面図である。
【図６】図６（ａ）は、第２光源を発光させた場合に第２表示マーク部が表示される状態を示す上平面図であり、図６（ｂ）は、第２光源から照射した光の経路を示す断面図である。
【発明を実施するための形態】
【００１３】
（本発明の実施の形態）
本発明の実施の形態に係る表示装置１は、光源（第１光源４０、第２光源５０）と、光源からの光のうち、特定方向の偏光を通過させる光源側偏光板（第１光源側偏光板４５、第２光源側偏光板５５）と、光源側偏光板を通過した偏光が照射されることで情報を提示する表示用偏光板（第１表示用偏光板２０、第２表示用偏光板３０）と、光源の周囲の少なくとも一部分を囲う被覆部９０と、を備え、光源側偏光板は、反射型の偏光板であり、被覆部９０は、光源からの光を乱反射させるように構成されている。
【００１４】
（表示部１０）
表示部１０は、図１（ａ）、（ｂ）に示すように、押圧操作が行われる表示パネル部１１と、表示パネル部１１に装着される拡散板１５、第１表示用偏光板２０、第２表示用偏光板３０を収容する凹部である収容部１２を備えている。表示パネル部１１は、例えば、樹脂で形成され、スモーク仕様とされている。
【００１５】
表示部１０は、図１（ａ）、（ｂ）に示すように、１又は２以上の情報を提示あるいは表示するためのものである。表示部１０の下部はホルダ部６０に固定されている。
【００１６】
表示面１３には、図１（ａ）に示すように、表示領域がいくつかの領域に区分されて、マーク、文字等の図形が提示、表示される。以下では、マーク、文字等の図形の提示の一形態として、マーク、文字等の図形の表示として説明する。
【００１７】
表示面１３に表示されるマーク、文字等の図形は、後述する第１表示用偏光板２０、第２表示用偏光板３０に形成されたそれぞれの偏光部と透過部との組み合わせにより、後述する第１光源４０と第２光源５０の発光切り替え制御に基づいて、表示される。なお、この表示は、上記した拡散板１５を通して表示されることにより均一な光で照明表示されるが、拡散板１５のない構成であってもよい。また、表示パネル部１１は、スモーク仕様とされているので、第１光源４０等により照明表示されていないときは、ブラックアウトした状態である。
【００１８】
図１（ａ）に示すように、共通部１０１は、第１光源４０と第２光源５０の両方の光を透過して表示する領域、すなわち、後述する偏光部の各々における偏光方向が解除され、提示すべき情報が現された提示部である。この共通部１０１は、第１表示用偏光板２０と第２表示用偏光板３０の一部分が重複するように設けられており、第１光源４０の発光による表示と第２光源５０の発光による表示において、共通に表示される領域である。
【００１９】
第１領域１０２は、第１光源４０からの光のみが透過し、第２光源５０からの光は透過しない領域、すなわち、対応する偏光方向を有した偏光部である。図１（ａ）において、横方向のハッチングで示す領域である。また、第２領域１０３は、第２光源５０からの光のみが透過し、第１光源４０からの光は透過しない領域、すなわち、対応する偏光方向を有した偏光部である。図１（ａ）において、縦方向のハッチングで示す領域である。また、非表示領域１０４は、第１光源４０及び第２光源５０のどちらからの光も透過しない領域である。図１（ａ）において、縦横方向のクロスハッチングで示す領域である。なお、さらに外側の枠部１０５も非表示領域である。
【００２０】
表示面１３には、上記示した共通部１０１、第１領域１０２、第２領域１０３、及び非表示領域１０４の組み合わせにより形成される所定のマーク、文字等の図形が表示される。なお、光の透過、不透過は、所定のマーク、文字等の図形が表示される程度であればよく、透過率が１００％、不透過率が１００％である必要はない。また、非表示領域１０４は、第１表示用偏光板２０又は第２表示用偏光板３０の対応する領域に例えば黒塗装等により不透過領域が形成されていてもよい。
【００２１】
（第１表示用偏光板２０）
第１表示用偏光板２０は、板状の偏光板で形成され、提示フィルタとして機能する。この第１表示用偏光板２０は、例えば、偏光機能を有する偏光層の上下をそれぞれ保護する保護フイルムで挟んだ偏光板である。
【００２２】
この第１の偏光方向２３ａと同じ方向に直線偏光された光は、透過しない。また、この第１の偏光方向２３ａと直交する方向（第２の偏光方向２３ｂ）に直線偏光された光は、透過する。
【００２３】
なお、図２（ａ）に示す第１透過部２２は、偏光特性を消失させた領域である。これにより、第１透過部２２は、偏光状態によらずに光を透過させることができる。
【００２４】
第１表示用偏光板２０は、図２（ａ）、（ｂ）に示すように、第１の偏光方向２３ａに偏光された直線偏光の光を透過させない第１偏光部２１と、偏光状態によらずに光を透過させる第１透過部２２の領域を有して構成されている。したがって、第１表示用偏光板２０は、提示フィルタとして機能する。この第１偏光部２１と第１透過部２２の形状は、後述する第２表示用偏光板３０との組み合わせにより、所定のマーク、文字等の図形を表示することができる。
【００２５】
（第２表示用偏光板３０）
第２表示用偏光板３０も、第１表示用偏光板２０と同様の構成により、板状の偏光板で形成され、提示フィルタとして機能する。第２表示用偏光板３０は、表示部１０において第１表示用偏光板２０と一部分が重複するように設けられている。ここで、第１の偏光方向２３ａと第２の偏光方向２３ｂは、直交する。
【００２６】
第２表示用偏光板３０は、図２（ｃ）、（ｄ）に示すように、第２の偏光方向２３ｂに偏光された直線偏光の光を透過させない第２偏光部３１と、偏光状態によらずに光を透過させる第２透過部３２の領域を有して構成されている。したがって、第２表示用偏光板３０は、提示フィルタとして機能する。この第２偏光部３１と第２透過部３２の形状は、上記した第１表示用偏光板２０との組み合わせにより、所定のマーク、文字等の図形を表示することができる。
【００２７】
（第１光源４０）
第１光源４０は、例えば、ＬＥＤ光等が使用できる。ＬＥＤ光等では特定の方向に偏光成分を有するように出射部に偏光素子を配置する。本実施の形態では、第１光源４０としてＬＥＤ光源を使用し、出射部に第１光源側偏光板４５を配置している。
【００２８】
第１光源４０は、ホルダ部６０に取り付けられた第１光源側偏光板４５を通して、図２（ａ）に示す第１の偏光方向２３ａに偏光方向を有する光を出射する。第１光源４０から第１光源側偏光板４５を通して出射される光は、第２表示用偏光板３０の全領域及び第１表示用偏光板２０の第１透過部２２を透過することができる。
【００２９】
（第２光源５０）
第２光源５０は、例えば、ＬＥＤ光等が使用できる。ＬＥＤ光等では特定の方向に偏光成分を有するように出射部に偏光素子を配置する。本実施の形態では、第２光源５０としてＬＥＤ光源を使用し、出射部に第２光源側偏光板５５を配置している。
【００３０】
第２光源５０は、ホルダ部６０に取り付けられた第２光源側偏光板５５を通して、図２（ｃ）に示す第２の偏光方向２３ｂに偏光方向を有する光を出射する。したがって、第２光源５０から第２光源側偏光板５５を通して出射される光の偏光方向は、第１光源４０から第１光源側偏光板４５を通して出射される光の偏光方向と直交する。第２光源５０から第２光源側偏光板５５を通して出射される光は、第２表示用偏光板３０の第２透過部３２及び第１表示用偏光板２０の全領域を透過することができる。
【００３１】
（第１光源側偏光板４５、第２光源側偏光板５５）
第１光源側偏光板４５、第２光源側偏光板５５は、反射型の偏光板である。以下において、反射型の偏光板の具体例として、ワイヤグリッドの一部に金属を形成したワイヤグリッド偏光板を説明する。
【００３２】
図３（ａ）に示すように、ＴＡＣ（トリアセチルセルロース）等の樹脂フイルム４５０の上にＵＶ硬化樹脂を印刷成形して硬化させて、所定ピッチのワイヤグリッド４５２のパターンを形成する。ワイヤグリッド４５２の一部（片側の面）には、金属として例えばアルミ（Ａｌ）４５４を蒸着させて、ワイヤグリッド偏光板とする。
【００３３】
このワイヤグリッド偏光板（第１光源側偏光板４５、第２光源側偏光板５５）は、図３（ｂ）に示すグリッド方向Ｇに振動する光は反射され、グリッド方向Ｇと直交する光は透過する。したがって、第１光源側偏光板４５のグリッド方向Ｇを、図１（ａ）に示す第１の偏光方向２３ａと直交する方向に設定することにより、第１の偏光方向２３ａに偏光する光のみを透過させることができる。また、第２光源側偏光板５５のグリッド方向Ｇを、図１（ａ）に示す第２の偏光方向２３ｂと直交する方向に設定することにより、第２の偏光方向２３ｂに偏光する光のみを透過させることができる。
【００３４】
（被覆部９０、９５）
被覆部９０、９５は、図１（ｂ）、図４に示すように、光源（第１光源４０、第２光源５０）からの光を乱反射、すなわち、拡散反射させる作用を有する。被覆部９０、９５は、光源（第１光源４０、第２光源５０）の周囲を反射面で囲い、反射面には拡散反射の処理が施されている。図４に示すように、第１光源４０側に設けられた被覆部９０について説明する。第２光源５０側に設けられた被覆部９５も同様の構成である。
【００３５】
図４に示すように、被覆部９０は、第１光源４０の周囲の少なくとも一部分を囲うように構成すればよいが、本実施の形態では、第１光源４０の周囲全部を取り囲むように構成している。被覆部９０の光源側の表面９０ａは、表面が平滑でない面とされ光を拡散反射する。被覆部９０としては、反射率の高い散乱材（拡散材料）、例えば、スペクトラロン拡散材料が使用でき、その他、表面９０ａに反射率の高い高拡散反射塗料、高拡散反射コーティング材等が使用できる。
【００３６】
第１光源４０から出射した光４０ａは、図１（ａ）で示した第１の偏光方向２３ａに偏光方向を有する光は第１光源側偏光板４５を透過するが、他の偏光方向の光は反射して、例えば、光４０ｂとなる。この光４０ｂは、表面９０ａで拡散反射する。理想的には全ての方向に均一に反射する完全拡散反射(ランバート反射)が好ましい。この反射した光は、さらに他の表面９０ａで拡散反射される。このように散乱された光は偏光特性のない光となり、第１の偏光方向２３ａに偏光方向を有する光のみが第１光源側偏光板４５を透過する。
【００３７】
第１光源側偏光板４５は、反射型の偏光板であるので、第１光源側偏光板４５を透過しない光は反射されて、再び被覆部９０の表面９０ａで拡散反射を繰り返す。このような光の乱反射（拡散反射）と第１の偏光方向２３ａにおける透過及び反射により、第１光源４０から出射した光のうち反射で損失される分を除くすべてが第１の偏光方向２３ａに偏光方向を有する偏光として取り出されることになる。
【００３８】
以上のことから、第１光源４０から出射した光の大部分は、第１光源側偏光板４５を透過し、第１の偏光方向２３ａに偏光された光として表示部１０（第１表示用偏光板２０及び第２表示用偏光板３０）に照射される。同様にして、第２光源５０から出射した光の大部分は、第２光源側偏光板５５を透過し、第２の偏光方向２３ｂに偏光された光として表示部１０（第１表示用偏光板２０及び第２表示用偏光板３０）に照射される。
【００３９】
（第１表示マーク部の表示）
第１光源４０を発光させると、図５（ｂ）に示すように、第１光源４０から第１光源側偏光板４５を通して図１（ａ）で示した第１の偏光方向２３ａに偏光方向を有する光が出射する。この光は、第１表示用偏光板２０及び第２表示用偏光板３０に照射される。この光は、第１の偏光方向２３ａに偏光方向を有するので、第２表示用偏光板３０の全領域及び第１表示用偏光板２０の第１透過部２２を透過する。したがって、図１（ａ）で示した共通部１０１と第１領域１０２を合わせた第１表示マーク部２５が図５（ａ）に示すように表示される。第１表示マーク部２５以外の領域は、図１（ａ）で示した第２領域１０３と非表示領域１０４と枠部１０５を合わせた第１非表示マーク部２６として表示されない、すなわち、ブラックアウトの状態となる。
【００４０】
（第２表示マーク部の表示）
第２光源５０を発光させると、図６（ｂ）に示すように、第２光源５０から第２光源側偏光板５５を通して図１（ａ）で示した第２の偏光方向２３ｂに偏光方向を有する光が出射する。この光は、第１表示用偏光板２０及び第２表示用偏光板３０に照射される。この光は、第２の偏光方向２３ｂに偏光方向を有するので、第２表示用偏光板３０の第２透過部３２及び第１表示用偏光板２０の全領域を透過する。したがって、図１（ａ）で示した共通部１０１と第２領域１０３を合わせた第２表示マーク部３５が図６（ａ）に示すように表示される。第２表示マーク部３５以外の領域は、図１（ａ）で示した第１領域１０２と非表示領域１０４と枠部１０５を合わせた第２非表示マーク部３６として表示されない、すなわち、ブラックアウトの状態となる。
【００４１】
（実施の形態の効果）
本発明の実施の形態によれば、以下のような効果を有する。
（１）本実施の形態に係る表示装置１は、光源（第１光源４０、第２光源５０）と、光源からの光のうち、特定方向の偏光を通過させる光源側偏光板（第１光源側偏光板４５、第２光源側偏光板５５）と、光源側偏光板を通過した偏光が照射されることで情報を提示する表示用偏光板（第１表示用偏光板２０、第２表示用偏光板３０）と、光源の周囲の少なくとも一部分を囲う被覆部９０と、を備え、光源側偏光板は、反射型の偏光板であり、被覆部９０は、光源からの光を乱反射（拡散反射）させるように構成されている。光源から出射する光のうち、光源側偏光板で反射した光を被覆部で乱反射させて、光源側偏光板において再びその光の一部を透過させる。この過程が繰り返されることにより、光源から出射した光のうち反射で損失される分を除くすべてが偏光として取り出されることになる。これにより、光の利用効率が良く、光源光量を増やすことなくマークを明るく表示させることができる表示装置を提供することができる。
（２）本実施の形態に係る表示装置１は、光源側偏光板（第１光源側偏光板４５、第２光源側偏光板５５）としてワイヤグリッド偏光板を使用する。ワイヤグリッド偏光板は、反射型の偏光板であり、光源側偏光板を通過しない光を高効率で反射することができる。これにより、光の利用効率が良く、光源光量を増やすことなくマークを明るく表示させることができる表示装置を提供することができる。
（３）また、本実施の形態に係る表示装置１は、光源の周囲の少なくとも一部分を囲う被覆部を備えている。この被覆部の表面は光を乱反射（拡散反射）する材料で構成することができるので、表面で散乱された光を偏光特性のない光として再び光源側偏光板に向けて乱反射することができる。これにより、光の利用効率が良く、光源光量を増やすことなくマークを明るく表示させることができる表示装置を提供することができる。
【００４２】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４３】
１…表示装置、１０…表示部、１１…表示パネル部、１２…収容部、１３…操作面、１５…拡散板、２０…第１表示用偏光板、２１…第１偏光部、２２…第１透過部、２３ａ…第１の偏光方向、２３ｂ…第２の偏光方向、２５…第１表示マーク部、２６…第１非表示マーク部、３０…第２表示用偏光板、３１…第２偏光部、３２…第２透過部、３５…第２表示マーク部、３６…第２非表示マーク部、４０…第１光源、４５…第１光源側偏光板、５０…第２光源、５５…第２光源側偏光板、６０…ホルダ部、９０、９５…被覆部、１０１…共通部、１０２…第１領域、１０３…第２領域、１０４…非表示領域、１０５…枠部、４５０…樹脂フイルム、４５２…ワイヤグリッド、４５４…アルミ（Ａｌ）
【図１】
2018194676.tif 000003
【図２】
2018194676.tif 000004
【図３】
2018194676.tif 000005
【図４】
2018194676.tif 000006
【図５】
2018194676.tif 000007
【図６】
2018194676.tif 000008